(57)【要約】【課題】横幅が広くならない配線用コネクタを提供すること。【解決手段】圧接刃（１４ｂ１，１４ｃ１）は、雄コネクタ２の雌コネクタ３への接続方向及び複数の端子１４の並設方向と垂直な方向に向けられていて、雄コネクタ２を雌コネクタ３に接続したときに、ケーブル１０の延びる方向で芯線１１に圧接させられるようになっている。【選択図】図７
2009295373.tif 000002
【特許請求の範囲】
【請求項１】
複数のケーブル保持部が横方向に並設された雄コネクタと、前記雄コネクタが接続されたときに前記複数のケーブル保持部にそれぞれ対応する複数の端子が横方向に並設されている雌コネクタとを備えると共に、導電性の芯線が絶縁部材で被覆されたケーブルの端部を前記ケーブル保持部に保持させた状態で、前記雄コネクタを前記雌コネクタに接続したときに、前記絶縁部材の一部を除去して前記芯線に圧接させられる圧接刃が前記端子に設けられている配線用コネクタにおいて、
前記圧接刃は、前記雄コネクタの雌コネクタへの接続方向及び前記複数の端子の並設方向と垂直な方向に向けられていて、前記雄コネクタを前記雌コネクタに接続したときに、前記ケーブルの延びる方向で前記芯線に圧接させられることを特徴とする配線用コネクタ。
【請求項２】
請求項１に記載の配線用コネクタにおいて、前記雌コネクタは前記雄コネクタを接続する開口および該開口と反対側の壁部を備え、前記端子は前記壁部に保持された連設部及び該連設から前記開口に向けて二股状に延びる第１，第２板バネ部を有すると共に、前記圧接刃は前記第１，第２板バネ部の自由端部に互いに対向するようにそれぞれ形成されていることを特徴とする配線用コネクタ。
【請求項３】
請求項２に記載の配線用コネクタにおいて、前記雄コネクタは等ピッチで設けられた複数の隔壁を備え、前記複数の隔壁間には前記ケーブルがそれぞれ保持されていると共に、前記複数の隔壁を係合させる複数の係合溝が前記雌コネクタに並設され、前記複数の係合溝間に位置させて前記圧接刃が前記雌コネクタに保持されていることを特徴とする配線用コネクタ。
【請求項４】
請求項３に記載の配線用コネクタにおいて、前記雄コネクタには、前記圧接刃が前記芯線に圧接させられたときに、前記圧接刃を係合させて前記雄コネクタが前記雌コネクタから抜け外れるのを規制するスリット状の係合穴が設けられていることを特徴とする配線用コネクタ。
【発明の詳細な説明】
【技術分野】
【０００１】
この発明は、伝送線等のケーブルの接続に用いられる配線用コネクタに関するものである。
【背景技術】
【０００２】
この種の配線用コネクタとしては、ハウジングに横方向に向けて等間隔で複数の隔壁を設けることにより、隔壁で区画された端子収容室をハウジングに横方向に複数並設し、電線の芯線に圧接刃を圧接させた圧接端子を各端子収容室にそれぞれ配設した圧接コネクタが知られている（例えば、特許文献１，２参照）。
【０００３】
この圧接コネクタでは、ハウジングの横方向に向けて延びる縦壁状の一対の圧接刃を間隔をおいて各圧接端子に設け、この一対の圧接刃間に上方に開放し且つ電線の直径よりも狭いスリットを形成して、このスリットに上方から電線を押し込むことにより、一対の圧接刃が電線の側部の被覆を部分的に削り取って被覆内の芯線に圧接させるようにしている。
【特許文献１】特許第２９２９４２０号公報
【特許文献２】特開２００１−１６０４２８号公報
【発明の開示】
【発明が解決しようとする課題】
【０００４】
しかしながら、従来の圧接コネクタでは、圧接端子の一対の圧接刃が横方向（電線と直交する方向）に間隔をおいて配設されているため、横幅が広くなるものであった。
【０００５】
そこで、この発明は、横幅が広くならない配線用コネクタを提供することを目的とするものである。
【課題を解決するための手段】
【０００６】
この目的を達成するため、この発明は、導電性の芯線が絶縁部材で被覆されたケーブルの端部に接続した雄コネクタ端子が複数設けられ、前記複数の雄コネクタ端子が横方向に並設された雄コネクタが雌コネクタに嵌着される配線用コネクタにおいて、前記ケーブルの長手方向に延び且つ前記絶縁部材を切り欠いて前記芯線に圧接する圧接刃が前記コネクタに設けられている配線用コネクタとしたことを特徴とする。
【発明の効果】
【０００７】
この構成によれば、複数のケーブル保持部が横方向に並設された雄コネクタを雌コネクタに接続しても、圧接刃がケーブルの端部から横方向に突出しない構成となっているので、この雄コネクタと雌コネクタを備える配線用コネクタの横方向の幅が広くならず、横方向の小型化を図ることができる。
【発明を実施するための最良の形態】
【０００８】
以下、この発明の実施の形態の配線用コネクタを図面に基づいて説明する。
[構成]
図１，図２に示した配線用コネクタ１は、雄コネクタ２及び雌コネクタ３を有する。
＜雄コネクタ２＞
この雄コネクタ２は、図１，図３，図４に示したように、側壁２ａ，２ａと、この側壁２ａ，２ａの下端間を連設する底壁２ｂと、側壁２ａ，２ａ間に等ピッチで並設され且つ底壁２ｂに一体に設けられた複数の隔壁２ｃを有する。
【０００９】
また、図３，図４に示したように雄コネクタ２は、側壁２ａと隔壁２ｃとの間及び各隔壁２ｃ，２ｃ間にそれぞれ設けられた複数のケーブル支持壁４を有する。このケーブル支持壁４は、隔壁２ｃの上下方向の略中央に位置して側壁２ａ及び隔壁２ｃに一体に設けられていると共に、底壁２ｂと略平行に設けられている。これにより、複数のケーブル支持壁４は雄コネクタ２の横方向に並設されている。
【００１０】
ここで、雄コネクタ２の雌コネクタ３への差込端側を前端（一端）としたとき、図２，図５，図６においてケーブル支持壁４の左側が前端（一端）となる。そして、各ケーブル支持壁４の前端部（一端部）にはケーブル保持部５が設けられ、各ケーブル支持壁４の後端部（他端部）側には上下面に開口するスリット状の係合穴６が形成されている。これにより、複数のケーブル保持部５は雄コネクタ２の横方向に並設されことになる。
【００１１】
また、ケーブル支持壁４の前端部（先端部）４ａの上下の部分には、傾斜ガイド面４ｂ，４ｃが形成されている。この傾斜ガイド面４ｂ，４ｃは、先端に向かうに従って間隔が徐々に狭くなるテーパ形状に形成されている。
【００１２】
更に、ケーブル保持部５は、ケーブル支持壁４の前端部（一端部）に設けられたケーブル保持穴７と、ケーブル保持穴７の前部（一端部）側を覆う保持片８を有する。この保持片８は、基部８ａがケーブル保持穴７の前端（図２中左端）においてケーブル支持壁４と一体に設けられ、この基部８ａから後方に向けて延びている。
【００１３】
更に、保持片８の自由端部（後端部）には、ケーブル保持穴７内に突出する係合突部９が一体に形成されている。この係合突部９は、側面形状が前傾斜面９ａ，後傾斜面９ｂ及び前傾斜面９ａと後傾斜面９ｂとの接合点である下端の頂点９ｃから略三角形状に形成されている。しかも、保持片８は、基部８ａと係合突部９と間の可撓部８ｂが図２中上下に弾性変形可能に設けられている。
【００１４】
そして、ケーブル１０の端部１０ａを図２のようにケーブル保持穴７内に保持させるには、先ず端部１０ａの先端を図８のように後傾斜面９ｂに当てる。この後、端部１０ａを後傾斜面９ｂにガイドさせるように押し込むと、ケーブル１０の端部１０ａが図９のように保持片８の可撓部８ｂを撓めて係合突部９を上方に変位させ、端部１０ａが係合突部９の下方に移動する。この後、係合突部９を押し下げることにより端部１０ａが図１０のように下方に折曲されてケーブル保持穴７内に挿入され、端部１０ａが後傾斜面９ｂとケーブル保持穴７の後端との間で挟持されるように保持される。尚、ケーブル（電線、又は信号線等）１０は、図３，図４に示したように銅線等の導電性の芯線１１と、この芯線１１を被覆する絶縁部材性の被覆層１２を有する。
＜雌コネクタ３＞
この雌コネクタ３は、図１に示したように、コネクタ本体１３と、複数の端子１４を有する。
（コネクタ本体１３）
このコネクタ本体１３は、図１に示したように上壁１３ａ，底壁１３ｂ，前壁１３ｃ，側壁１３ｄから箱状に形成されていて、図２に示したように後端に開放する開口１３ｅを有する。
【００１５】
また、図７に示したように、コネクタ本体１３は、上壁１３ａに沿って横方向に等ピッチ（等間隔）で並設された端子保持突部１５と、底壁１３ｂに沿って横方向に等ピッチ（等間隔）で並設された端子保持突部１６を有する。
【００１６】
この各端子保持突部１５，１６は、前後方向（接続方向）に向けて延びていると共に、開口１３ｅまで延設されている。しかも、端子保持突部１５，１６には、前後方向に延びる端子係合溝１５ａ，１６ａがそれぞれ形成されている。また、各端子保持突部１５，１５間には隔壁係合溝１７が形成され、各端子保持突部１６，１６間には隔壁係合溝１８が形成されている。  
（端子１４）
この端子１４は、図２に示したように前壁１３ｃに埋設された連設部１４ａと、連設部１４ａから開口１３ｅに向けて二股状に延びる第１，第２板バネ部１４ｂ，１４ｃと、前壁１３ｃから外部に引き出されたＬ字状の接続端子部１４ｄを有する。
【００１７】
また、図２に示したように、第１，第２板バネ部１４ｂ，１４ｃの自由端部には、互いに対向するように圧接刃１４ｂ１，１４ｃ１が一体に形成されている。この圧接刃１４ｂ１の前側及び後側には傾斜ガイド面１４ｂ２，１４ｂ３が形成され、圧接刃１４ｃ１の前側及び後側には傾斜ガイド面１４ｃ２，１４ｃ３が形成されている。
【００１８】
そして、第１板バネ部１４ｂは端子係合溝１５ａ内に上下動可能に配設され、第２板バネ部１４ｃは端子係合溝１６ａ内に上下動可能に配設されている。また、隔壁係合溝１７，１８には雄コネクタ２の隔壁２ｃの上下端部が係合させられている。更に、圧接刃１４ｂ１，１４ｃ１は、図６，図７に示したように雄コネクタ２に保持されたケーブル１０の端部１０ａ近傍の部分に圧接されて、ケーブル１０の芯線１１に圧接接触される。
[作用]
次に、このような構成の配線用コネクタ１の雄コネクタ２と雌コネクタ３との接続動作を説明する。
【００１９】
先ず端部１０ａの先端を図８のように後傾斜面９ｂに当てる。この後、端部１０ａを後傾斜面９ｂにガイドさせるように押し込むと、ケーブル１０の端部１０ａが図９のように保持片８の可撓部８ｂを撓めて係合突部９を上方に変位させ、端部１０ａが係合突部９の下方に移動する。この後、係合突部９を押し下げることにより端部１０ａが図１０のように下方に折曲されてケーブル保持穴７内に挿入され、端部１０ａが後傾斜面９ｂとケーブル保持穴７の後端との間で挟持されるように保持される。このようにして複数のケーブル１０の端部１０ａが雄コネクタ２に並設保持される。
【００２０】
この雄コネクタ２の各隔壁２ｃの上下端部を雌コネクタ３のコネクタ本体１３の対向する隔壁係合溝１７，１８に合わせた状態で、雄コネクタ２をコネクタ本体１３内に開口１３ｅから挿入（嵌合又は嵌着）接続する。
【００２１】
この際、雄コネクタ２に設けた複数のケーブル支持壁４の前端部（先端部）４ａが雌コネクタ３の対応する端子１４に対して進出して、各前端部４ａが端子１４の第１，第２板バネ部１４ｂ，１４ｃの自由端部間に向けて移動する。
【００２２】
この移動に伴い、ケーブル支持壁４の前端部４ａが圧接刃１４ｂ１，１４ｃ１間に移動して、前端部４ａの傾斜ガイド面４ｂ，４ｃが第１，第２板バネ部１４ｂ，１４ｃの自由端部に設けた圧接刃１４ｂ１，１４ｃ１の傾斜ガイド面１４ｂ３，１４ｃ３に対して摺接移動する。
【００２３】
この際、図１０のように、第１，第２板バネ部１４ｂ，１４ｃがケーブル支持壁４の前端部４ａにより撓められて、圧接刃１４ｂ１，１４ｃ１が拡開する方向に変位させられる。これに伴い、圧接刃１４ｂ１，１４ｃ１は、ケーブル支持壁４の前端部４ａを第１，第２板バネ部１４ｂ，１４ｃの弾性力により挟持する状態になる。これにより、前端部４ａに設けられた係合突部９が第１板バネ部１４ｂによりケーブル保持穴７側に押されて、ケーブル１０の端部１０ａが係合突部９の後傾斜面９ｂとケーブル保持穴７の後端との間に挟持される。
【００２４】
この状態で、更に雄コネクタ２が雌コネクタ３内に挿入させられると、圧接刃１４ｂ１，１４ｃ１がケーブル支持壁４の前端部４ａを乗り越えて第１，第２板バネ部１４ｂ，１４ｃの弾性力により係合穴６側に変移させられる。これにより、圧接刃１４ｂ１，１４ｃ１はケーブル１０の端部１０ａ近傍の部分に圧接させられる。
【００２５】
この際、圧接刃１４ｂ１，１４ｃ１は、ケーブル１０の被覆層１２を削り取って芯線１１に圧接接触させられ、芯線１１と電気的に接続される。また、圧接刃１４ｃ１は係合穴６内に係合して、雄コネクタ２が雌コネクタ３から抜け外れるのを阻止する。
【００２６】
以上説明したように、この発明の実施の形態の配線用コネクタ１は、複数のケーブル保持部５が横方向に並設された雄コネクタ２と、前記雄コネクタ２が接続されたときに前記複数のケーブル保持部５にそれぞれ対応する複数の端子１４が横方向に並設されている雌コネクタ３とを備えている。また、導電性の芯線１１が絶縁部材（被覆層１２）で被覆されたケーブル１０の端部１０ａを前記ケーブル保持部５に保持させた状態で、前記雄コネクタ２を前記雌コネクタ３に接続したときに、前記絶縁部材（被覆層１２）の一部を除去して前記芯線１１に圧接させられる圧接刃（１４ｂ１，１４ｃ１）が前記端子１４に設けられている。しかも、前記圧接刃（１４ｂ１，１４ｃ１）は、前記雄コネクタ２の雌コネクタ３への接続方向及び前記複数の端子１４の並設方向と垂直な方向に向けられていて、前記雄コネクタ２を前記雌コネクタ３に接続したときに、前記ケーブル１０の延びる方向で前記芯線１１に圧接させられるようになっている。
【００２７】
この構成によれば、複数のケーブル保持部５が横方向に並設された雄コネクタ２を雌コネクタ３に接続しても、圧接刃（１４ｂ１，１４ｃ１）がケーブル１０の端部１０ａから横方向に突出しない構成となっているので、この雄コネクタ２と雌コネクタ３を備える配線用コネクタ１の横方向の幅が広くならず、横方向の小型化を図ることができる。
【００２８】
また、この発明の実施の形態の配線用コネクタ１において、前記雌コネクタ３は前記雄コネクタ２を接続する開口１３ｅおよび該開口１３ｅと反対側の壁部（前壁１３ｃ）を備え、前記端子１４は前記壁部（前壁１３ｃ）に保持された連設部１４ａ及び該連設部１４ａから前記開口１３ｅに向けて二股状に延びる第１，第２板バネ部１４ｂ，１４ｃを有すると共に、前記圧接刃（１４ｂ１，１４ｃ１）は前記第１，第２板バネ部１４ｂ，１４ｃの自由端部に互いに対向するようにそれぞれ形成されている。
【００２９】
この構成によれば、第１，第２板バネ部１４ｂ，１４ｃの自由端部に端子１４の圧接刃（１４ｂ１，１４ｃ１）を設けた構成としたので、第１，第２板バネ部１４ｂ，１４ｃの弾性力（バネ力）で圧接刃（１４ｂ１，１４ｃ１）をケーブル１０の芯線１１に圧接させることができる。
【００３０】
更に、この発明の実施の形態の配線用コネクタ１において、前記雄コネクタ２は等ピッチで設けられた複数の隔壁２ｃを備え、前記複数の隔壁２ｃ，２ｃ間には前記ケーブル１０がそれぞれ保持されていると共に、前記複数の隔壁２ｃを係合させる複数の係合溝（隔壁係合溝１７，１８）が前記雌コネクタ３に並設され、前記複数の係合溝（隔壁係合溝１７，１８）間に位置させて前記圧接刃（１４ｂ１，１４ｃ１）が前記雌コネクタ３に保持されている。
【００３１】
この構成によれば、雄コネクタ２の複数の隔壁２ｃが雌コネクタ３の複数の係合溝（隔壁係合溝１７，１８）に係合することで、雄コネクタ２と雌コネクタ３の接続状態が安定すると共に、雄コネクタ２を雌コネクタ３に接続したときに、雌コネクタ３内の複数の端子１４間を雄コネクタ２の複数の隔壁２ｃで離隔させることができる。
【００３２】
また、この発明の実施の形態の配線用コネクタ１において、前記雄コネクタ２には、前記圧接刃（１４ｂ１，１４ｃ１）が前記芯線１１に圧接させられたときに、前記圧接刃（１４ｂ１，１４ｃ１）を係合させて前記雄コネクタ２が前記雌コネクタ３から抜け外れるのを規制するスリット状の係合穴６が設けられている。
【００３３】
この構成によれば、雄コネクタ２を雌コネクタ３に接続したときに、圧接刃１４ｃ１を係合させる係合穴６が雄コネクタ２に設けられているので、雄コネクタ２が雌コネクタ３から抜け外れるのを阻止させる手段を別途設ける必要がない。
【図面の簡単な説明】
【００３４】
【図１】この発明に係る配線用コネクタの分解斜視図である。
【図２】図１の配線用コネクタの断面図である。
【図３】図２のＡ１−Ａ１線に沿う断面図である。
【図４】図２のＡ２−Ａ２線に沿う断面図である。
【図５】図２に示した雄コネクタの部分斜視図である。
【図６】図２に示した雄コネクタと雌コネクタの接続状態を示す断面図である。
【図７】図６のＡ３−Ａ３線に沿う断面図である。
【図８】図２の雄コネクタへのケーブル保持の作用説明図である。
【図９】図８の雄コネクタへのケーブル保持の作用説明図である。
【図１０】図９の雄コネクタを雌コネクタに接続するときの作用説明図である。
【符号の説明】
【００３５】
１・・・配線用コネクタ
２・・・雄コネクタ
２ｃ・・・隔壁
３・・・雌コネクタ
５・・・ケーブル保持部
６・・・係合穴
１０・・・ケーブル
１１・・・芯線
１２・・・被覆層（絶縁部材）
１３・・・コネクタ本体
１３ｃ・・・前壁（壁部）
１３ｅ・・・開口
１４・・・端子
１４ａ・・・連設部
１４ｂ・・・第１板バネ部
１４ｂ１・・・圧接刃
１４ｃ・・・第２板バネ部
１４ｃ１・・・圧接刃
１７，１８・・・隔壁係合溝（係合溝）
【図１】
2009295373.tif 000003
【図２】
2009295373.tif 000004
【図３】
2009295373.tif 000005
【図４】
2009295373.tif 000006
【図５】
2009295373.tif 000007
【図６】
2009295373.tif 000008
【図７】
2009295373.tif 000009
【図８】
2009295373.tif 000010
【図９】
2009295373.tif 000011
【図１０】
2009295373.tif 000012